(57)【特許請求の範囲】
【請求項１】
原稿台又はシートフィーダから原稿の画像を読み取る読み取り手段と、オペレータが設定したジョブを入力する入力手段とを備えるローカル装置と、該ローカル装置に接続され、前記ジョブに基づいて前記画像を印刷する印刷手段を備えるリモート装置とから成るリモートコピージョブ方式による印刷システムであって、
前記ローカル装置は、
前記リモート装置に対して前記ジョブの開始を指示する指示手段と、
前記原稿が前記原稿台上にあるか前記シートフィーダ上にあるかを判別する第１の判別手段と、
前記原稿が前記原稿台上にある場合は、前記ジョブが複数の原稿の画像を読み取り終えた後に該画像を送信する原稿台蓄積モードか否かを判別する第２の判別手段とを備え、
前記ジョブが前記原稿台蓄積モードでないときは、前記原稿の画像を読み取る前に前記リモート装置に前記ジョブの開始を指示し、前記ジョブが前記原稿台蓄積モードであるときは、前記原稿の画像を読み取り終えた後に前記リモート装置に前記ジョブの開始を指示することを特徴とするリモートコピージョブ方式による印刷システム。
【請求項２】
前記原稿が前記シートフィーダ上にある場合は、前記原稿の画像を読み取る前に前記リモート装置に前記ジョブの開始を指示することを特徴とする請求項１記載のリモートコピージョブ方式による印刷システム。
【請求項３】
前記ローカル装置は、スキャナ、複写機の少なくとも一つであることを特徴とする請求項１又は２記載のリモートコピージョブ方式による印刷システム。
【請求項４】
前記リモート装置は、プリンタ、複写機の少なくとも一つであることを特徴とする請求項１乃至３のいずれか１項に記載のリモートコピージョブ方式による印刷システム。
【請求項５】
原稿台又はシートフィーダから原稿の画像を読み取る読み取り工程と、オペレータが設定したジョブを入力する入力工程とを備えるローカル装置と、該ローカル装置に接続され、前記ジョブに基づいて前記画像を印刷する印刷工程を備えるリモート装置とから成る印刷システムのリモートコピージョブ方式による印刷方法であって、
前記リモート装置に対して前記ジョブの開始を指示する指示工程と、
前記原稿が前記原稿台上にあるか前記シートフィーダ上にあるかを判別する第１の判別工程と、
前記原稿が前記原稿台上にある場合は、前記ジョブが複数の原稿の画像を読み取り終えた後に該画像を送信する原稿台蓄積モードか否かを判別する第２の判別工程とを備え、
前記指示工程にて、前記ジョブが前記原稿台蓄積モードでないときは、前記原稿の画像を読み取る前に前記リモート装置に前記ジョブの開始を指示し、前記ジョブが前記原稿台蓄積モードであるときは、前記原稿の画像を読み取り終えた後に前記リモート装置に前記ジョブの開始を指示することを特徴とするリモートコピージョブ方式による印刷方法。
【請求項６】
前記原稿が前記シートフィーダ上にある場合は、前記原稿の画像を読み取る前に前記リモート装置に前記ジョブの開始を指示することを特徴とする請求項５記載のリモートコピージョブ方式による印刷方法。
【請求項７】
前記ローカル装置は、スキャナ、複写機の少なくとも一つであることを特徴とする請求項５又は６記載のリモートコピージョブ方式による印刷方法。
【請求項８】
前記リモート装置は、プリンタ、複写機の少なくとも一つであることを特徴とする請求項５乃至７のいずれか１項に記載のリモートコピージョブ方式による印刷方法。
【請求項９】
原稿台又はシートフィーダから原稿の画像を読み取る読み取り工程と、オペレータが設定したジョブを入力する入力工程とを備えるローカル装置と、該ローカル装置に接続され、前記ジョブに基づいて前記画像を印刷する印刷工程を備えるリモート装置とから成る印刷システムのリモートコピージョブ方式による印刷方法を実行するプログラムを記憶した読み出し可能な記憶媒体であって、
前記印刷方法は、
前記リモート装置に対して前記ジョブの開始を指示する指示ステップと、
前記原稿が前記原稿台上にあるか前記シートフィーダ上にあるかを判別する第１の判別ステップと、
前記原稿が前記原稿台上にある場合は、前記ジョブが複数の原稿の画像を読み取り終えた後に該画像を送信する原稿台蓄積モードか否かを判別する第２の判別ステップとを含み、
前記指示ステップは、前記ジョブが前記原稿台蓄積モードでないときには、前記原稿の画像を読み取る前に前記リモート装置に前記ジョブの開始を指示し、前記ジョブが前記原稿台蓄積モードであるときには、前記原稿の画像を読み取り終えた後に前記リモート装置に前記ジョブの開始を指示することを特徴とする記憶媒体。
【請求項１０】
前記指示ステップは、前記原稿が前記原稿台上にない場合には、前記原稿の画像を読み取る前に前記リモート装置に前記ジョブの開始を指示することを特徴とする請求項９記載の記憶媒体。
【請求項１１】
前記ローカル装置は、スキャナ、複写機の少なくとも一つであることを特徴とする請求項９又は１０記載の記憶媒体。
【請求項１２】
前記リモート装置は、プリンタ、複写機の少なくとも一つであることを特徴とする請求項９乃至１１のいずれか１項に記載の記憶媒体。
【発明の詳細な説明】
【０００１】
【発明の属する技術分野】
本発明は、リモートコピージョブ方式による印刷システム、印刷方法及び記憶媒体、画像処理装置及びその制御方法に関する。
【０００２】
【従来の技術】
画像読み取り機能、印刷機能等を備える複写装置、印刷装置等がネットワークを介して複数接続されたシステムでは、例えば、一つの複写装置で読み取った原稿の画像データをユーザ（オペレータ）が設定した印刷ジョブと共にリモートプリンタとなる他の複写装置へ送信し、その印刷ジョブに基づいて画像データの印刷（複写）を行うリモートコピージョブ方式による印刷システムが提案されている。また、本システムにおける複写装置は、該装置が備える圧板（原稿台）上に原稿を置いて原稿画像を読み取ったり、ＡＤＦ等のシートフィーダによって原稿画像を読み取ったりして、該読み取り画像データをリモートプリンタとなる複写装置に送信することができる。
【０００３】
【発明が解決しようとする課題】
しかしながら、このリモートコピージョブ方式によるシステムにおいて、例えば、記録紙に形成すべき全ての原稿を読み取り終えた時点で、リモートプリンタに対する印刷のジョブ開始の指示を行ってしまっては、リモートプリンタがそこで始めてウォームアップを開始するので、原稿を読み取り終えてから１枚目の印刷が開始されるまで長時間を要するおそれがある。
【０００４】
また、逆に、複写装置の原稿台上における原稿の読み取りを開始する前に、予め、リモートプリンタに対する印刷のジョブ開始指示を行っておくと、印刷ジョブの開始指示から画像データ送信までに時間がかかり、リモートプリンタの占有時間が長くなってしまうため、作業効率の低下を招くおそれがある。
【０００５】
このように、原稿の読取方法が複数有るような場合において、同じような方法で、リモートプリンタ等の外部装置に対する印刷のジョブ開始指示を送出してしまうと、上述のような不具合が生じてしまう可能性がある。
【０００６】
本発明は、印刷ジョブの開始指示から印刷開始までの時間を短縮すると共に、リモートプリンタの占有時間を短縮し、作業効率を向上することができるリモートコピージョブ方式による印刷システム、印刷方法及び記憶媒体を提供することを目的とする。
【０００７】
【課題を解決するための手段】
上記目的を達成するために、請求項１記載の印刷システムは、原稿台又はシートフィーダから原稿の画像を読み取る読み取り手段と、オペレータが設定したジョブを入力する入力手段とを備えるローカル装置と、該ローカル装置に接続され、前記ジョブに基づいて前記画像を印刷する印刷手段を備えるリモート装置とから成るリモートコピージョブ方式による印刷システムであって、前記ローカル装置は、前記リモート装置に対して前記ジョブの開始を指示する指示手段と、前記原稿が前記原稿台上にあるか前記シートフィーダ上にあるかを判別する第１の判別手段と、前記原稿が前記原稿台上にある場合は、前記ジョブが複数の原稿の画像を読み取り終えた後に該画像を送信する原稿台蓄積モードか否かを判別する第２の判別手段とを備え、前記ジョブが前記原稿台蓄積モードでないときは、前記原稿の画像を読み取る前に前記リモート装置に前記ジョブの開始を指示し、前記ジョブが前記原稿台蓄積モードであるときは、前記原稿の画像を読み取り終えた後に前記リモート装置に前記ジョブの開始を指示することを特徴とする。
【０００８】
請求項２記載の印刷システムは、請求項１記載の印刷システムにおいて、前記原稿が前記シートフィーダ上にある場合は、前記原稿の画像を読み取る前に前記リモート装置に前記ジョブの開始を指示することを特徴とする。
【０００９】
請求項３記載の印刷システムは、請求項１又は２記載の印刷システムにおいて、前記ローカル装置は、スキャナ、複写機の少なくとも一つであることを特徴とする。
【００１０】
請求項４記載の印刷システムは、請求項１乃至３のいずれか１項に記載のリモートコピージョブ方式による印刷システムにおいて、前記リモート装置は、プリンタ、複写機の少なくとも一つであることを特徴とする。
【００１１】
上記目的を達成するために、請求項５記載の印刷方法は、原稿台又はシートフィーダから原稿の画像を読み取る読み取り工程と、オペレータが設定したジョブを入力する入力工程とを備えるローカル装置と、該ローカル装置に接続され、前記ジョブに基づいて前記画像を印刷する印刷工程を備えるリモート装置とから成る印刷システムのリモートコピージョブ方式による印刷方法であって、前記リモート装置に対して前記ジョブの開始を指示する指示工程と、前記原稿が前記原稿台上にあるか前記シートフィーダ上にあるかを判別する第１の判別工程と、前記原稿が前記原稿台上にある場合は、前記ジョブが複数の原稿の画像を読み取り終えた後に該画像を送信する原稿台蓄積モードか否かを判別する第２の判別工程とを備え、前記指示工程にて、前記ジョブが前記原稿台蓄積モードでないときは、前記原稿の画像を読み取る前に前記リモート装置に前記ジョブの開始を指示し、前記ジョブが前記原稿台蓄積モードであるときは、前記原稿の画像を読み取り終えた後に前記リモート装置に前記ジョブの開始を指示することを特徴とする。
【００１２】
請求項６記載の印刷方法は、請求項５記載の印刷方法において、前記原稿が前記シートフィーダ上にある場合は、前記原稿の画像を読み取る前に前記リモート装置に前記ジョブの開始を指示することを特徴とする。
【００１３】
請求項７記載の印刷方法は、請求項５又は６記載の印刷方法において、前記ローカル装置は、スキャナ、複写機の少なくとも一つであることを特徴とする。
【００１４】
請求項８記載の印刷方法は、請求項５乃至７のいずれか１項に記載の印刷方法において、前記リモート装置は、プリンタ、複写機の少なくとも一つであることを特徴とする。
【００１５】
上記目的を達成するために、請求項９記載の記憶媒体は、原稿台又はシートフィーダから原稿の画像を読み取る読み取り工程と、オペレータが設定したジョブを入力する入力工程とを備えるローカル装置と、該ローカル装置に接続され、前記ジョブに基づいて前記画像を印刷する印刷工程を備えるリモート装置とから成る印刷システムのリモートコピージョブ方式による印刷方法を実行するプログラムを記憶した読み出し可能な記憶媒体であって、前記印刷方法は、前記リモート装置に対して前記ジョブの開始を指示する指示ステップと、前記原稿が前記原稿台上にあるか前記シートフィーダ上にあるかを判別する第１の判別ステップと、前記原稿が前記原稿台上にある場合は、前記ジョブが複数の原稿の画像を読み取り終えた後に該画像を送信する原稿台蓄積モードか否かを判別する第２の判別ステップとを含み、前記指示ステップは、前記ジョブが前記原稿台蓄積モードでないときには、前記原稿の画像を読み取る前に前記リモート装置に前記ジョブの開始を指示し、前記ジョブが前記原稿台蓄積モードであるときには、前記原稿の画像を読み取り終えた後に前記リモート装置に前記ジョブの開始を指示することを特徴とする。
【００１６】
請求項１０記載の記憶媒体は、請求項９記載の記憶媒体において、前記指示ステップは、前記原稿が前記原稿台上にない場合には、前記原稿の画像を読み取る前に前記リモート装置に前記ジョブの開始を指示することを特徴とする。
【００１７】
請求項１１記載の記憶媒体は、請求項９又は１０記載の記憶媒体において、前記ローカル装置は、スキャナ、複写機の少なくとも一つであることを特徴とする。
【００１８】
請求項１２記載の記憶媒体は、請求項９乃至１１のいずれか１項に記載の記憶媒体において、前記リモート装置は、プリンタ、複写機の少なくとも一つであることを特徴とする。
【００２１】
【発明の実施の形態】
以下、本発明の実施の形態を図面を参照して詳細に説明する。
【００２２】
図１は、本発明の実施の形態に係るリモートコピージョブ方式による印刷システムの全体構成を示す概略図である。
【００２３】
図１において、複写装置３０１，３０２は、原稿等の画像を読み取る画像読み取り装置、及び該画像を印刷する印刷装置等を備えた複写装置であり、それぞれネットワーク３０３(通信経路)を介して互いに接続される。本実施の形態では、複写装置３０１をローカル装置、複写装置３０２をリモート装置（リモートプリンタ）として使用する。なお、ネットワーク３０３上には、複写装置３０１，３０２に限らず、複数の複写装置、コンピュータ端末、サーバ等（不図示）が存在していてもよい。
【００２４】
図２は、図１の複写装置３０１の内部構成を示すブロック図である。
【００２５】
図２において、複写装置３０１は、中央処理装置２０１と、主記憶装置２０２と、表示装置２０３と、入力装置２０４と、外部記憶装置２０５と、印刷装置２０６、画像読み取り装置２０７、ネットワーク装置２０８、電子メール装置２０９、及びファクス装置２１０とで構成される。
【００２６】
中央処理装置２０１は、主記憶装置２０２、表示装置２０３、入力装置２０４、外部記憶装置２０５、印刷装置２０６、画像読み取り装置２０７、ネットワーク装置２０８、電子メール装置２０９、及びファクス装置２１０に接続され、これら各部を制御すると共に、四則演算、論理演算等の演算処理を行う。主記憶装置２０２は、中央処理装置２０１が各種の演算・情報処理を行う上で必要な情報を記憶し、該情報は必要に応じて取り出すことができる。表示装置２０３は、ＣＲＴ、液晶、及びタッチパネル式モニタ等から成り、図形、文字等の画像処理を行った結果を表示する。
【００２７】
入力装置２０４は、キーボード、マウス、カードリーダ、タッチパネル等から成り、中央処理装置２０１へ各種データの入力を行う。ユーザ（オペレータ）は入力装置２０４を介して必要なコピージョブ、各種モード等の設定を入力することができる。外部記憶装置２０５は、磁気記憶装置、光磁気記憶装置等から成り、各種情報を記憶する。印刷装置２０６は、図形、文字等の画像の印刷を行う。画像読み取り装置２０７は、紙等の原稿を置いて画像を読み取るための圧板（原稿台）及びシートフィーダを備え、原稿の画像を読み取って電子情報（画像データ）に変換する。また、画像読み取り装置２０７は、原稿が原稿台上にあるかシートフィーダ上にあるかを検知するシート有無検知センサ（不図示）を備える。
【００２８】
ネットワーク装置２０８はインターフェイスであり、ネットワーク３０３と本装置とを接続する。電子メール装置２０９は、ネットワーク３０３を介して外部とのメールの送受信を行う。ファックス装置２０８は、外部とのファックスの送受信を行う。なお、複写装置３０１は、スキャナ、画像読み取り装置を備えたファクシミリ、又は複合機等でもよく、複写装置３０２は、プリンタ、ファクシミリ、又は複合機等でもよい。
【００２９】
本実施の形態では、ローカル装置としての複写装置３０１は、該複写装置３０１で読み取った原稿の画像をオペレータが設定した印刷ジョブと共にネットワーク３０３を介して接続された複写装置３０２に送信し、リモート装置（リモートプリンタ）としての複写装置３０２は、受信した画像を印刷ジョブに基づいて印刷を行う。また、複写装置３０１は、画像読み取り装置２０７の圧板（原稿台）上から複数の原稿を読み取る場合は、読み取った複数の原稿の画像を一旦主記憶装置２０２に蓄積した後、その蓄積した画像データを複写装置３０２に送信する圧板（原稿台）蓄積モードを印刷ジョブとして設定することができる。
【００３０】
図３は、図１の複写装置３０１の制御処理を示すフローチャートである。
【００３１】
なお、本処理において、複写装置３０１を原稿の画像読み取り装置として使用し、複写装置３０２を原稿の画像を印刷するリモートプリンタとして使用する。また、オペレータが、画像読み取り装置２０７の原稿台上に原稿を置いたときに、原稿の両面印刷を指示（設定）した場合には、複写装置３０１が、読み取った原稿表面の画像データと共に原稿裏面の画像データも同時に複写装置３０２に送信する圧板（原稿台）蓄積モードになるものとする。
【００３２】
まず、オペレータが複写装置３０１の入力装置２０４から必要なコピージョブ（ジョブ）を入力（指示）して、リモートプリンタである複写装置３０２に該コピージョブの開始を指示する（コピージョブの投入）（ステップＳ１０１）。次に、読み取る原稿が画像読み取り装置２０７の原稿台上にあるか、ＡＤＦ等のシートフィーダ上にあるかを、不図示のシート有無検知センサからの検出結果や操作部（入力装置２０４）からのモード設定情報に基づいて判断し（ステップＳ１０２）、原稿が原稿台上にあると判断した（圧板蓄積モード（第１のモード）であると判断した）場合は（ステップＳ１０２でＹＥＳ）、ステップＳ１０１で入力されたジョブが両面印刷かどうかを判断する（ステップＳ１０３）。この結果、ステップＳ１０１で入力されたジョブが両面印刷であると判断した場合は（ステップＳ１０３でＹＥＳ）、画像読み取り装置２０７の原稿台から原稿の画像を読み取って画像データを生成し、主記憶装置２０２に蓄積する（ステップＳ１０４）。
【００３３】
次に、表示装置２０３に再読み取りボタン及び読み取り終了ボタンを含むポップアップ画面を表示し、オペレータに次の原稿の画像読み取り、又は原稿の画像読み取り終了を入力させる（ステップＳ１０５）。この結果、オペレータが再読み取りボタンを押下して次の原稿の画像読み取りを指示入力した場合は（ステップＳ１０５でＮＯ）、ステップＳ１０４へ戻り、画像読み取り装置２０７の原稿台上にオペレータが新たにセットした原稿の画像を読み取って画像データを生成する（ステップＳ１０４）。なお、再読み取りボタンを表示することなく、読み取り終了ボタンのみを表示し、オペレータが当該ボタンを押下するまで圧板（原稿台）上の原稿の読み取り処理を繰り返し行い、複数の原稿画像を順次主記憶装置２０２に蓄積可能な構成であってもよい。一方、オペレータが読み取り終了ボタンを押下して原稿の画像読み取り終了を指示入力した場合は（ステップＳ１０５でＹＥＳ）、リモートプリンタの複写装置３０２にジョブ開始の指示を行う（ステップＳ１０６）。次に、主記憶装置２０２に蓄積した原稿の画像データを複写装置３０２に送信し（ステップＳ１０７）、本処理を終了する。リモートプリンタの複写装置３０２では、受信した画像データをジョブ開始の指示に基づいて両面印刷を行う。
【００３４】
一方、ステップＳ１０１で入力されたジョブが両面印刷でないと判断した場合は（ステップＳ１０３でＮＯ）、リモートプリンタの複写装置３０２にジョブ開始の指示を行い（ステップＳ１０８）、画像読み取り装置２０７の原稿台から原稿の画像を読み取って画像データを生成する（ステップＳ１０９）。両面印刷でない場合は、原稿の両面の画像データ、即ち複数の画像データを同時に送信する必要がないので、ステップＳ１１０でオペレータに読み取り終了の指示入力をさせることなく、生成した原稿の画像データをリモートプリンタの複写装置３０２に送信して、本処理を終了する。
【００３５】
本実施の形態では、ステップＳ１０３において印刷ジョブが両面印刷モードか否かを判断の場合を挙げているが、他の実施の形態として２in１や４in１等の縮小レイアウトモードにより判断してもよい。つまり、１枚の記録紙に複数の画像を形成するようなモードの場合は、ステップＳ１０４、Ｓ１０５等で、１枚の記録紙に形成すべき複数の原稿画像をすべて主記憶装置２０２に取り込むまで、即ちオペレータからの読み取り終了指示が投入されるまでに圧板原稿の読み取り処理（オペレータが原稿台上に原稿をセットし、それを読み取る作業）を繰り返し行い、主記憶装置２０２に蓄積し続けるよう制御する。次に、オペレータからの読み取り終了指示が投入されたことに応じて画像データを受信したときは、直ちに画像形成処理を開始できる状態にさせるためのウォームアップ動作をリモートプリンタ（複写装置３０２）に実行させるべく、ネットワーク３０３を介してリモートプリンタに対してジョブ開始指示データを送信する。なお、リモートプリンタ側では、ジョブ開始指示データを受信したことに応じてウォームアップ動作を行い、画像データを受信したときは、直ちにプリント可能なスタンバイ状態にしておく。主記憶装置２０２に蓄積された複数の画像データ（１枚の記録紙に形成すべき複数の画像データ）をまとめて、ネットワーク３０３を介してリモートプリンタに送信する（複数の画像の一括送信）。
【００３６】
ステップＳ１０２において、読み取る原稿が画像読み取り装置２０７のシートフィーダ上にあると判断した（非圧板蓄積モード（第２のモード）であると判断した）場合は（ステップＳ１０２でＮＯ）、まず、リモートプリンタである複写装置３０２にジョブ開始の指示を行う（ステップＳ１１１）。次に、画像読み取り装置２０７のシートフィーダから１枚目の原稿を引き込み、原稿の画像を読み取って画像データを生成し（ステップＳ１１２）、リモートプリンタの複写装置３０２に原稿の画像データを送信する（ステップＳ１１３）。複写装置３０２では、出力用紙に１枚目の原稿の画像データの印刷を行う。次に、読み取った原稿が最後の原稿かどうかを判断し（ステップＳ１１４）、読み取った原稿が最後の原稿ではないと判断した場合は（ステップＳ１１４でＮＯ）、ステップＳ１１２へ戻って、再度、画像読み取り装置２０７のシートフィーダから２枚目の原稿を引き込み、原稿の画像を読み取って画像データを生成する（ステップＳ１１２）一方、読み取った原稿が最後の原稿であると判断した場合は、本処理を終了する。なお、ステップＳ１０３では、ステップＳ１０１で入力されたコピージョブが両面印刷であるかどうかの判断に代えて、コピージョブが複数の原稿の印刷であるかどうかの判断としてもよい。
【００３７】
本実施の形態によれば、圧板（原稿台）蓄積モード（圧板を用いて原稿を１枚ずつ（又は原稿台上にオペレータにより並置された複数の原稿を）読み取る原稿読取モード）及び非圧板蓄積モード（圧板等を用いずにＡＤＦ等のシートフィーダを用いて複数の原稿を頁順に連続的に自動で読み取り可能なＡＤＦ読取モード）を選択的に実行可能な複写装置３０１，３０２がネットワーク３０３を介して接続されたシステムにおいて、複写装置３０１は、原稿が原稿台上にあり（ステップＳ１０２でＹＥＳ）、且つリモートプリンタである複写装置３０２に入力するジョブが圧板（原稿台）蓄積モードでないと判断したときは（ステップＳ１０３でＮＯ）、原稿の画像を読み取る前に複写装置３０２にジョブ開始を指示する（ステップＳ１０８）ので、原稿読み取り中にリモートプリンタのウォームアップを行えるようになり、１枚目の原稿の印刷が開始されるまでの時間を短縮することができる。また、圧板（原稿台）蓄積モードであると判断したときは（ステップＳ１０３でＹＥＳ）、全ての原稿の画像読み取り終えた後にジョブ開始を指示する（ステップＳ１０４，Ｓ１０５）ので、ジョブ開始の指示から印刷開始までの時間が短くなり、リモートプリンタの占有時間を短くすることができ、作業効率の向上を図ることができる。
【００３８】
つまり、両面印刷等の１枚の記録紙に複数の画像を形成するようなモードにおいて、圧板（原稿台）蓄積モード（第１のモード）の場合は、１枚の記録紙に形成すべき複数の原稿画像のすべての原稿の読み取りが完了するまでの間に、オペレータによる原稿台への原稿セットという作業工程が介入するので、実際に、原稿の読み取りを開始してから１枚の記録紙に形成すべき複数の画像の読み取りが完了するまでの時間が長くなってしまう。これを考慮して、１枚の記録紙に形成すべき複数の画像をメモリにすべて蓄積し、該蓄積したデータをリモートプリンタに送信する直前にリモートプリンタにジョブ開始指示を送信するように制御する。
【００３９】
一方、非圧板蓄積モード（第２のモード）の場合は、オペレータによる介入作業が行われることなく、シートフィーダにより複数枚からなる原稿束を一気に連続して読み取ることができるので、原稿の読み取りを開始してから該原稿束の読み取り処理が完了するでの時間が短い。そのため、原稿の読取処理を開始する前に、予めリモートプリンタにジョブ開始指示を送信するように制御する。
【００４０】
これにより、複数の読み取りモードを有する場合において、どの読み取りモードを選択しても、リモートプリンタの占有時間が必要以上に長くなったり、１ページ目の印刷を開始するまでに要する時間が長くなる等の不具合を未然に防止することができる。
【００４１】
本実施の形態で述べた処理（機能）を実現するためのプログラムは、複写装置３０１の主記憶装置２０２内のＲＯＭ（不図示）にプログラムコードとして記憶されており、複写装置３０１の中央処理装置２０１内のＣＰＵ（不図示）がプログラムコードを読み出して、その機能を実行するものとする。
【００４２】
本実施の形態で述べた機能を実現するためのソフトウェアのプログラムコードを記憶した記憶媒体を本複写装置３０１又は本複写装置３０１を含むシステムに供給し、その装置又はシステムのコンピュータ（ＣＰＵ、ＭＰＵ等）が記憶媒体に格納されたプログラムコードを読出して、その機能を実行することによっても達成されることはいうまでもない。この場合、記憶媒体から読出されたプログラムコード自体が上述した機能を実現することになり、そのプログラムコードを記憶した記憶媒体は本発明を構成するものである。プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ等を用いることができる。
【００４３】
また、コンピュータが読出したプログラムコードを実行することにより、上述した機能が実現されるだけでなく、そのプログラムコードの指示に基づき、コンピュータ上で稼働しているＯＳ（オペレーティング・システム）等が実際の処理の一部又は全部を行い、その処理によって上述した機能が実現される場合も含まれることはいうまでもない。
【００４４】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した機能が実現される場合も含まれることはいうまでもない。
【００４５】
【発明の効果】
以上詳細に説明したように、請求項１記載のシステム、請求項５記載の方法、請求項９記載の記憶媒体、請求項１３記載の画像処理装置、及び請求項１４記載の制御方法によれば、ローカル装置は、原稿が圧板（原稿台）上にあるかシートフィーダ上にあるかを判別し、原稿台上にある場合で且つジョブが複数の原稿の画像を読み取り終えた後に該画像を送信する圧板（原稿台）蓄積モードでないときは、原稿の画像を読み取る前にリモート装置にジョブ開始を指示し、圧板（原稿台）蓄積モードであるときは、原稿の画像を読み取り終えた後にリモート装置にジョブの開始を指示するので、ジョブ開始の指示から印刷開始までの時間を短縮すると共に、リモートプリンタの占有時間を短縮し、作業効率を向上することができる。
【００４６】
請求項２記載のシステム、請求項６記載の方法、及び請求項１０記載の記憶媒体によれば、請求項１記載のシステム、請求項５記載の方法、及び請求項９記載の記憶媒体による効果を更に奏することができる。
【図面の簡単な説明】
【図１】本発明の実施の形態に係るリモートコピージョブ方式による印刷システムの全体構成を示す概略図である。
【図２】図１の複写装置３０１の内部構成を示すブロック図である。
【図３】図１の複写装置３０１の制御処理を示すフローチャートである。
【符号の説明】
２０１  中央処理装置
２０２  主記憶装置
２０３  表示装置
２０４  入力装置
２０５  外部記憶装置
２０６  印刷装置
２０７  画像読み取り装置
２０８  ネットワーク装置
２０９  電子メール装置
２１０  ファクス装置
３０１，３０２  複写装置
３０３  ネットワーク
【図１】
0004438036.tif 000002
【図２】
0004438036.tif 000003
【図３】
0004438036.tif 000004